(57)【要約】【課題】根腐れを防止しつつ雨水などを有効利用して樹木の根周りに適度な水分を供給することが可能な樹木支持具を提供する。【解決手段】根鉢１ａを埋設する植栽穴２の底部２ａに設置される支持フレーム３と、支持フレーム３に端部４ａ、４ｂを接続して設けられ、根鉢１ａに巻き掛けて樹木１と支持フレーム３とを一体に固定する支持ベルト４とを備える。また、支持フレーム３を、底板３ａと側板３ｂで囲まれた内部に土壌Ｇを浸透した水を受け入れて一時的に貯留する貯水部５を備えて形成するとともに、底板３ａと側板３ｂを貯水部５に貯留した水を吸収して保持する保水性材料を用いて形成する。さらに、支持ベルト４を、支持フレーム３に保持された水を吸収する吸水性材料を用いて形成し、支持フレーム３から吸収した水を樹木１の根周りに供給できるようにする。【選択図】図１
2009273384.tif 000002
【特許請求の範囲】
【請求項１】
樹木の根鉢に固設され、植栽後の前記樹木を支持するための樹木支持具であって、
前記根鉢を埋設する植栽穴の底部に設置される支持フレームと、該支持フレームに端部を接続して設けられ、前記根鉢に巻き掛けて前記樹木と前記支持フレームとを一体に固定する支持ベルトとを備え、
前記支持フレームは、底板と側板で囲まれた内部に、開口する上端側から土壌を浸透した水を受け入れて一時的に貯留する貯水部を備えて形成されるとともに、前記底板と前記側板が前記貯水部に貯留した水を吸収して保持する保水性材料を用いて形成され、貯水機能と保水機能を備えており、
前記支持ベルトは、前記支持フレームに保持された水を吸収する吸水性材料を用いて形成され、前記支持フレームから吸収した水を前記樹木の根周りに供給する給水機能を備えていることを特徴とする樹木支持具。
【請求項２】
請求項１記載の樹木支持具において、
前記支持ベルトは、前記根鉢に巻き掛けた状態で前記樹木の幹周りに配置される上部側に、生分解性材料を用いて形成された生分解部を備えていることを特徴とする樹木支持具。
【発明の詳細な説明】
【技術分野】
【０００１】
本発明は、植栽（植樹）した樹木を支持して転倒を防止するための樹木支持具に関する。
【背景技術】
【０００２】
従来、高中木を植栽（植樹）する際には、樹木の転倒を防止するために、二脚鳥居支柱、三脚鳥居支柱、十字鳥居支柱などの支柱が多用されている。この一方で、近年、景観への配慮やスペースの有効利用を目的に、土壌（地盤）中に設置され、根鉢に固定して樹木を支持する地下型の樹木支持具を用いるケースが増えている。また、建物の屋上緑化を施す場合など、土壌厚を十分に確保できない人工地盤に植栽を施す場合に、この地下型の樹木支持具が多用されている（例えば、特許文献１、特許文献２、特許文献３参照）。
【特許文献１】特開２００４−２５４６４４号公報
【特許文献２】特開２０００−２４５２７３号公報
【特許文献３】実開平５−６０２５６号公報
【発明の開示】
【発明が解決しようとする課題】
【０００３】
ところで、一般に、この種の地下型の樹木支持具は、樹木の根腐れを防止するために排水性を考慮して構成されている。このため、例えば雨水を有効利用することができず、特に人工地盤に植栽を施すような場合などでは、保水性（及び樹木の根周りに適度な水分を供給する給水性）を考慮した樹木支持具が強く求められていた。
【０００４】
本発明は、上記事情に鑑み、根腐れを防止しつつ雨水などを有効利用して樹木の根周りに適度な水分を供給することが可能な樹木支持具を提供することを目的とする。
【課題を解決するための手段】
【０００５】
上記の目的を達するために、この発明は以下の手段を提供している。
【０００６】
本発明の樹木支持具は、樹木の根鉢に固設され、植栽後の前記樹木を支持するための樹木支持具であって、前記根鉢を埋設する植栽穴の底部に設置される支持フレームと、該支持フレームに端部を接続して設けられ、前記根鉢に巻き掛けて前記樹木と前記支持フレームとを一体に固定する支持ベルトとを備え、前記支持フレームは、底板と側板で囲まれた内部に、開口する上端側から土壌を浸透した水を受け入れて一時的に貯留する貯水部を備えて形成されるとともに、前記底板と前記側板が前記貯水部に貯留した水を吸収して保持する保水性材料を用いて形成され、貯水機能と保水機能を備えており、前記支持ベルトは、前記支持フレームに保持された水を吸収する吸水性材料を用いて形成され、前記支持フレームから吸収した水を前記樹木の根周りに供給する給水機能を備えていることを特徴とする。
【０００７】
この発明においては、支持フレームを植栽穴の底部に設置し、アンカーなどで固定するとともに、植栽穴に樹木の根鉢を挿入し、支持ベルトを根鉢に巻き掛けることによって、樹木を支持することが可能になる。そして、植栽後、例えば雨水等、土壌中を浸透した水が支持フレームの貯水部に貯留されると、この水を、保水性材料を用いて形成した支持フレーム（底板及び側板）に吸収して保持することができる。さらに、支持フレームに保持された水を、支持ベルトが吸収して樹木の根周り（根鉢）に供給することが可能になる。また、このとき、支持フレームの貯水部に貯留した水が保水性材料に吸収されて保持され、保水性材料に吸収した水が順次支持ベルトに吸収されて樹木の根周りに供給されるため、支持フレームは一時的に水を貯留することになり、樹木の根腐れの発生を防止しつつ樹木の根周りに適度な水分を供給することが可能になる。
【０００８】
また、本発明の樹木支持具において、前記支持ベルトは、前記根鉢に巻き掛けた状態で前記樹木の幹周りに配置される上部側に、生分解性材料を用いて形成された生分解部を備えていることが望ましい。
【０００９】
この発明においては、支持ベルトに生分解部が設けられていることで、植栽後、ある程度の期間が経過するとともに、この生分解部が土壌中の微生物によって分解され、支持ベルトを破断させることが可能になる。これにより、植栽後に、樹木の根鉢に巻き掛けられた支持ベルトが自然に外れ、支持ベルト等を取り除くことなく、樹木の成長が阻害されることを防止できる。また、このように支持ベルトが破断した場合においても、生分解部（破断部）が樹木の幹周りに配置される上部側に設けられているため、支持フレームに繋がる破断後の支持ベルト（下方の支持ベルト片）によって、樹木の根周りに水を持続的に供給することが可能になる。
【発明の効果】
【００１０】
本発明の樹木支持具によれば、貯水機能と保水機能を有する支持フレームと、給水機能を有する支持ベルトとを備えて構成することにより、土壌を浸透した水を支持フレームの貯水部で一時的に貯留するとともに支持フレームの保水性材料で吸収して保持することができ、この支持フレームに保持された水を支持ベルトに吸収させて、樹木の根周り（根鉢）に供給することが可能になる。これにより、樹木の根腐れを防止しつつ、部品点数を増やすことなく雨水などを有効利用して樹木の根周りに適度な水分を供給することが可能になる。
【発明を実施するための最良の形態】
【００１１】
以下、図１から図４を参照し、本発明の一実施形態に係る樹木支持具について説明する。本実施形態は、植栽（植樹）した樹木を支持して転倒を防止するための樹木支持具に関し、特に、樹木の根腐れを防止しつつ、雨水などを有効利用して植栽後の樹木の根周りに適度な水分を供給することが可能な樹木支持具に関するものである。
【００１２】
本実施形態の樹木支持具Ａは、図１に示すように、樹木１の根鉢１ａを埋設する植栽穴２の底部２ａに設置される支持フレーム３と、この支持フレーム３に端部４ａ、４ｂを接続して設けられ、樹木１の根鉢１ａに巻き掛けて樹木１と支持フレーム３とを一体に固定する支持ベルト４とを備えて構成されている。
【００１３】
支持フレーム３は、図１及び図２に示すように、底板３ａとこの底板３ａに下端を繋げて立設する側板３ｂとを備えて平面視十字状に形成されている。また、この支持フレーム３は、底板３ａ及び側板３ｂが例えばパーライトや高分子吸水材などの保水性材料を用いて形成されている。
【００１４】
そして、この支持フレーム３は、底板３ａと側板３ｂで囲まれた内部の空間が貯水部５とされ、植栽穴２の底部２ａに設置して土壌Ｇ中に埋設した状態で、土壌Ｇを浸透した雨水などの水を、上方の開口部（開口する上端側）から貯水部５に受け入れて貯留する。このとき、貯水部５に貯留した水が底板３ａ及び側板３ｂの保水性材料によって吸収されて保持されるとともに、詳細を後述する支持ベルト４に順次吸収されるため、支持フレーム３は一時的に水を貯留することになる。すなわち、本実施形態の支持フレーム３は、雨水などの水を一時的に貯留する貯水機能と、貯留した水を吸収して保持する保水機能を備えている。ここで、樹木１の根腐れが懸念される場合には、図３及び図４に示すように、支持フレーム３（底板３ａ及び側板３ｂ）に排水孔３ｃを設けるようにしてもよい。この場合には、開口部から受け入れた水を排水孔３ｃから徐々に外部に排出させることで、保水性材料に吸収し保持できる程度に水が一時的に貯留され、確実に樹木１の根腐れの発生を防止することが可能になる。
【００１５】
一方、支持ベルト４は、一端４ａ及び他端４ｂ（端部）を支持フレーム３の貯水部５を形成する底板３ａの上面に接続して設けられている。このとき、支持ベルト４は、一端４ａ及び他端４ｂをそれぞれ、底板３ａの中心Ｏ１を間に対称位置の両端部側にそれぞれ接続して設けられている。また、この支持ベルト４は、吸水性樹脂などの吸水性材料を用いて形成されており、支持フレーム３の底板３ａ及び側板３ｂに吸収して保持された水を吸収可能に形成されている。そして、このように形成した支持ベルト４は、図１に示すように、樹木１の根鉢１ａに巻き掛けられて、樹木１と支持フレーム３とを一体に固定し、支持フレーム３から吸収した水を樹木１の根周り（根鉢１ａ）に供給する。このため、支持ベルト４は、樹木１の根鉢１ａの大きさ、形状に応じた長さを備えて形成されるとともに、樹木１の根鉢１ａに適度な水分を供給する給水機能を備えている。
【００１６】
さらに、本実施形態において、支持ベルト４は、樹木１の根鉢１ａに巻き掛けた状態で樹木１の幹１ｂ周りに配置される上部側の一部に、生分解性材料からなる生分解部４ｃを備えて形成されている。
【００１７】
このように構成した本実施形態の樹木支持具Ａを用いて樹木１を植栽する際には、地盤（土壌Ｇ）に根鉢１ａを埋設する植栽穴２を掘削し、この植栽穴２に支持フレーム３を挿入して底部２ａに載置し、この支持フレーム３を例えばアンカー６などを用いて地盤Ｇに固定する。ついで、根鉢１ａを植栽穴２に挿入し支持フレーム３上に載置して樹木１を設置するとともに、支持ベルト４を根鉢１ａに巻き掛けて、樹木１と支持フレーム３とを一体に固定する。最後に植栽穴２を土壌Ｇで埋め戻して樹木１の植栽が完了する。このように植栽した樹木１は、アンカー６などで固定した樹木支持具Ａによって強固に支持され、転倒が防止される。
【００１８】
そして、本実施形態の樹木支持具Ａにおいては、樹木１を植栽した後に、降雨や灌水によって地表Ｇ１から土壌Ｇに浸透した水が支持フレーム３の開口部（開口する上端側）から貯水部５に流入して貯留される。このように貯水部５に水が貯留されると、この水が底板３ａ及び側板３ｂの保水性材料に吸収され、支持フレーム３に保持される。
【００１９】
また、支持フレーム３の底板３ａ及び側板３ｂに保持された水は、支持フレーム３に繋がる支持ベルト４が吸水性材料を用いて形成されているため、支持ベルト４に吸収されて、徐々に上方に移送されてゆく。そして、この支持ベルト４が樹木１の根鉢１ａに巻き掛けられているため、水が根鉢１ａに供給され、樹木１の根周りに適度な水分が供給されることになる。これにより、樹木支持具Ａとは別に、樹木１の根周りに適度な水分を供給するための部品を設けることなく、この樹木１の根周りの水分が長期にわたって好適な状態で自動的に維持されることになる。
【００２０】
一方、植栽後の樹木１の根周り（根鉢１ａ）を支持ベルト４によって締め付けた状態のままにしておくと、樹木１の成長がこの支持ベルト４によって阻害されるおそれがある。これに対し、本実施形態の樹木支持具Ａにおいては、支持ベルト４が生分解部４ｃを備えて形成されているため、植栽後、ある程度の期間が経過するとともにこの生分解部４ｃが土壌中の微生物によって分解して支持ベルト４が破断し、樹木１の根周りの締め付け状態が解除される。このため、植栽した樹木１の成長が支持ベルト４によって阻害されることがなく、樹木１が成長した際に支持ベルト４等を取り除く必要がない。
【００２１】
また、このように支持ベルト４が生分解部４ｃで破断した場合においても、生分解部４ｃ（破断部）が樹木１の幹１ｃ周りに配置される上部側に設けられているため、支持フレーム３に繋がっている破断後の支持ベルト４（下方の支持ベルト片４ｄ）によって、樹木１の根周りへの給水が持続的に行われる。
【００２２】
したがって、本実施形態の樹木支持具Ａにおいては、支持フレーム３を植栽穴２の底部２ａに設置し、アンカー６などで固定するとともに、植栽穴２に樹木１の根鉢１ａを挿入し、支持ベルト４を根鉢１ａに巻き掛けることにより、樹木１を好適に支持することが可能になる。そして、このように樹木１を支持した状態で（植栽後に）、例えば雨水等、土壌Ｇ中を浸透した水が支持フレーム３の貯水部５に貯留されると、この水を、保水性材料を用いて形成した支持フレーム３（底板３ａ及び側板３ｂ）に吸収して保持することができる。さらに、支持フレーム３に保持された水を、支持ベルト４が吸収して樹木１の根周りに供給することが可能になる。また、このとき、支持フレーム３の貯水部５に貯留した水が保水性材料に吸収されて保持され、保水性材料に吸収した水が順次支持ベルト４に吸収されて樹木１の根周りに供給されるため、支持フレーム３は一時的に水を貯留することになり、樹木１の根腐れの発生を防止しつつ樹木１の根周りに適度な水分を供給することが可能になる。
【００２３】
また、支持ベルト４に生分解部４ｃが設けられていることで、植栽後、ある程度の期間が経過するとともに、この生分解部４ｃが土壌Ｇ中の微生物によって分解され、支持ベルト４を破断させることが可能になる。これにより、植栽後に、樹木１の根鉢１ａに巻き掛けられた支持ベルト４が自然に外れ、支持ベルト４等を取り除くことなく、樹木１の成長が阻害されることを防止できる。さらに、このように支持ベルト４が破断した場合においても、生分解部４ｃが樹木１の幹１ｂ周りに配置される上部側に設けられているため、支持フレーム３に繋がる破断後の支持ベルト４（４ｄ）によって、樹木１の根周りに水を持続的に供給することが可能になる。
【００２４】
よって、本実施形態の樹木支持具Ａによれば、貯水機能及び保水機能を有する支持フレーム３と、給水機能を有する支持ベルト４とを備えて構成することにより、樹木１の根腐れを防止しつつ、部品点数を増やすことなく雨水などを有効利用して樹木１の根周りに適度な水分を供給することが可能になる。
【００２５】
以上、本発明に係る樹木支持具の実施形態について説明したが、本発明は上記の一実施形態に限定されるものではなく、その趣旨を逸脱しない範囲で適宜変更可能である。例えば、本実施形態では、支持フレーム３が平面視で十字状に形成されているものとしたが、方形状、円形状などであってもよく、特にその形状を限定する必要はない。
【図面の簡単な説明】
【００２６】
【図１】本発明の一実施形態に係る樹木支持具を示す側面図である。
【図２】本発明の一実施形態に係る樹木支持具を示す平面図である。
【図３】本発明の一実施形態に係る樹木支持具の変形例を示す側面図である。
【図４】本発明の一実施形態に係る樹木支持具の変形例を示す平面図である。
【符号の説明】
【００２７】
１      樹木
１ａ    根鉢
１ｂ    幹
２      植栽穴
３      支持フレーム
３ａ    底板
３ｂ    側板
３ｃ    排水孔
４      支持ベルト
４ａ    一端（端部）
４ｂ    他端（端部）
４ｃ    生分解部
５      貯水部
６      アンカー
Ａ      樹木支持具
Ｇ      土壌（地盤）
Ｇ１    地表
Ｏ１    中心
【図１】
2009273384.tif 000003
【図２】
2009273384.tif 000004
【図３】
2009273384.tif 000005
【図４】
2009273384.tif 000006